(57)【要約】【課題】簡単な構造で連鎖端子の端子金具の変形を効果的に防止する。【解決手段】連鎖端子１０は、複数の端子金具１１の少なくとも一端部を帯板状のキャリア１２によって連結支持することで複数の端子金具１１が並設され、端子保護部２０は、キャリア１２の側縁部１２ａからキャリア１２の板面１２ｂと面一状に延びる延長部２１と、延長部２１から板面１２ｂと交差する方向に立ち上がる立ち上がり部２２と、立ち上がり部２２から板面１２ｂに沿った方向に延び、連鎖端子１０が立ち上がり部２２の立ち上がり方向に沿って重畳された場合に立ち上がり方向の一方に隣接する層間紙２９に当接する第１当接部２３と、板面１２ｂと面一状に延びて第１当接部２３と立ち上がり方向に離間配置され、立ち上がり方向の他方に隣接する層間紙２９に当接する第２当接部２４とを有する。【選択図】図１
2010118183.tif 000002
【特許請求の範囲】
【請求項１】
複数の端子金具の少なくとも一端部を帯板状のキャリアの側縁部に連結支持させてその長手方向に並設されてなり、層間部材を介在させて上下方向に重ねられる連鎖端子であって、
前記キャリアの表面と面一状に前記キャリアの側縁部から延びる延長部と、
前記延長部の側縁部からその上端が前記層間部材に当接可能なように立ち上がる立ち上がり部と、
前記立ち上がり部の上端から前記層間部材に面で当接可能に延びる第１当接部と、
前記キャリアの表面と同一の平面上に表面を形成するように、前記第１当接部と対向する領域およびそれに隣接する領域に形成された第２当接部と、を有する端子保護部を備えた
ことを特徴とする連鎖端子。
【請求項２】
前記第２当接部は、前記延長部の側縁部の一部に形成されていることを特徴とする請求項１記載の連鎖端子。
【請求項３】
複数の端子金具の少なくとも一端部を帯板状のキャリアの側縁部に連結支持させてその長手方向に並設されてなり、層間部材を介在させて上下方向に重ねられる連鎖端子であって、
前記キャリアの側縁部からその上端が前記層間部材に当接可能なように立ち上がる立ち上がり部と、
前記立ち上がり部の上端から前記層間部材に面で当接可能に延びる第１当接部と、
前記キャリアの表面と同一の平面上に表面を形成するように、前記第１当接部と対向する領域およびそれに隣接する領域に形成された第２当接部と、を有する端子保護部を備えた
ことを特徴とする連鎖端子。
【請求項４】
前記第２当接部は、前記キャリアの側縁部に形成されていることを特徴とする請求項３記載の連鎖端子。
【請求項５】
前記第２当接部は、前記第１当接部の先端から下方に屈曲された立ち下がり部の下端に形成されていることを特徴とする請求項１または３記載の連鎖端子。
【請求項６】
前記第２当接部は、前記立ち下がり部の下端から前記キャリア側に延びることを特徴とする請求項５記載の連鎖端子。
【請求項７】
前記第２当接部は、前記立ち下がり部の下端から前記キャリアと反対側に延びることを特徴とする請求項５記載の連鎖端子。
【請求項８】
前記立ち上がり部は、前記キャリアの前記端子金具が存する側の側縁部から立ち上がることを特徴とする請求項１〜７のいずれか記載の連鎖端子。
【発明の詳細な説明】
【技術分野】
【０００１】
本発明は、複数の接続端子がキャリアによって平行に並べられてなる連鎖端子に関する。
【背景技術】
【０００２】
従来より、複数の接続端子をキャリアにより連結して平行に並べた連鎖端子として、次のようなものが知られている。すなわち、連鎖端子は、長尺帯状をなすキャリアの側縁に多数の端子金具素片を並列状に連結したものであり、層間紙と重ねた状態でリールに対して巻き付け・繰り出しが行われるものである。
【０００３】
そして、端子金具素片には外向きに突出する突起部が形成され、この突起部の突出方向は、リールの径方向と直交する方向、すなわち層間紙の紙面に沿った方向とされている。これにより、突起部が層間紙に突き刺さることはなく、繰り出しの際に突起部が層間紙に引っ掛かって変形することはないとされる。
【０００４】
【特許文献１】特開２０００−１６４３１７号公報
【発明の開示】
【発明が解決しようとする課題】
【０００５】
しかしながら、上述した特許文献１に開示されている従来技術の連鎖端子では、輸送の際などに層間紙と一緒にリールに巻き付けた状態のときに、キャリアの側縁に設けられて立ち上がり部の先端部を端子金具素片側へ屈曲したＬ字形の保護部が層間紙に当接して突っ張る状態となる。このため、端子金具素片の層間紙との接触は防止できるとされているが、次のような問題がある。
【０００６】
すなわち、図９に示すように、従来技術の連鎖端子の保護部と同様の構造（先端部１１９ａの屈曲方向は９０°異なっている構造）の保護部１１９を有する連鎖端子１００においては、キャリア（図示せず）からの保護部１１９の立ち上がり高さは端子金具１１１のキャリアからの高さよりも大きくなっているため、層間紙（図示せず）を介装した場合はこの保護部１１９が層間紙と当接する。
【０００７】
しかし、例えばリールに巻き付けた際に保護部１１９の先端部１１９ａが図中白抜き矢印で示すような層間紙から受ける圧力は、保護部１１９の立ち上がり部１１９ｂがキャリアとの連結部１１９ｃからオフセットして形成されているため、立ち上がり部１１９ｂおよび連結部１１９ｃを回転させる力となる。
【０００８】
この圧力が大きくなったり、連鎖端子１００の寸法が極小である場合は、図中二点短鎖線で示すように、保護部１１９が端子金具１１１側へ倒れ込んでしまい、連鎖端子１００の変形を防止できないおそれがある。
【０００９】
本発明は、このような問題点に鑑みてなされたもので、簡単な構造で変形を効果的に防止することができる連鎖端子を提供することを目的とする。
【課題を解決するための手段】
【００１０】
本発明に係る連鎖端子は、複数の端子金具の少なくとも一端部を帯板状のキャリアの側縁部に連結支持させてその長手方向に並設されてなり、層間部材を介在させて上下方向に重ねられる連鎖端子であって、前記キャリアの表面と面一状に前記キャリアの側縁部から延びる延長部と、前記延長部の側縁部からその上端が前記層間部材に当接可能なように立ち上がる立ち上がり部と、前記立ち上がり部の上端から前記層間部材に面で当接可能に延びる第１当接部と、前記キャリアの表面と同一の平面上に表面を形成するように、前記第１当接部と対向する領域およびそれに隣接する領域に形成された第２当接部と、を有する端子保護部を備えたことを特徴とする。
【００１１】
また、本発明に係る連鎖端子は、複数の端子金具の少なくとも一端部を帯板状のキャリアの側縁部に連結支持させてその長手方向に並設されてなり、層間部材を介在させて上下方向に重ねられる連鎖端子であって、前記キャリアの側縁部からその上端が前記層間部材に当接可能なように立ち上がる立ち上がり部と、前記立ち上がり部の上端から前記層間部材に面で当接可能に延びる第１当接部と、前記キャリアの表面と同一の平面上に表面を形成するように、前記第１当接部と対向する領域およびそれに隣接する領域に形成された第２当接部と、を有する端子保護部を備えたことを特徴とする。
【００１２】
なお、前記第２当接部は、例えば前記延長部の側縁部の一部に形成されてもよい。
【００１３】
また、前記第２当接部は、例えば前記キャリアの側縁部に形成されてもよい。
【００１４】
さらに、前記第２当接部は、例えば前記第１当接部の先端から下方に屈曲された立ち下がり部の下端に形成されてもよい。
【００１５】
この場合、前記第２当接部は、前記立ち下がり部の下端から前記キャリア側に延びるとよい。また、前記第２当接部は、前記立ち下がり部の下端から前記キャリアと反対側に延びてもよい。
【００１６】
前記立ち上がり部は、例えば前記キャリアの前記端子金具が存する側の側縁部から立ち上がる。
【発明の効果】
【００１７】
本発明によれば、簡単な構造で変形を効果的に防止することができる連鎖端子を提供することができる。
【発明を実施するための最良の形態】
【００１８】
以下に、添付の図面を参照して、本発明に係る連鎖端子の好適な実施の形態を詳細に説明する。
【００１９】
図１は、本発明の一実施形態に係る連鎖端子の全体構成の例を示す斜視図、図２は図１のＡ−Ａ’断面図、図３は同連鎖端子の重畳状態を示す図１のａ矢視図、図４は図３の一部を拡大して示す説明図である。まず、本実施形態に係る連鎖端子１０の製造手順について説明する。すなわち、連鎖端子１０は、長尺の帯板状に形成された金属母材を端子金具１１等を形作る所定の形状にプレス等により打ち抜き加工する。
【００２０】
この打ち抜き加工により、例えば帯板状のキャリア１２の一方の側縁部１２ａから複数の板状の端子金具素片（端子金具１１の展開状態の片部材、図示省略）を、いわゆる片持ち状にキャリア１２と面一に突出形成する。そして、このように形成された端子金具素片に曲げ加工等を施して端子金具１１を成形することで、連鎖端子１０を製造する。なお、端子金具１１については、周知の端子金具と同様のものであるため、ここでは説明を省略する。
【００２１】
このように製造される連鎖端子１０のキャリア１２の側縁部１２ａには、例えば各端子金具１１ごとに端子保護部２０が形成されている。この端子保護部２０は、キャリア１２の側縁部１２ａからこのキャリア１２の板面（表面）１２ｂと面一状（すなわち、同一面となるように）かつ端子金具１１の長手方向に沿って延びる延長部２１と、この延長部２１の側縁部２１ａから板面１２ｂと交差する方向に立ち上がり、かつその上端が後述する層間部材に当接可能なように立ち上がる立ち上がり部２２とを備える。
【００２２】
また、端子保護部２０は、立ち上がり部２２の上端から板面１２ｂに沿った方向に延びるとともに、例えば連鎖端子１０が図３に示すように、立ち上がり部２２の立ち上がり方向（上下方向）に沿って重畳された場合に、立ち上がり方向の一方に隣接する部材（ここでは、層間部材である層間紙２９）に面で当接する第１当接部２３と、キャリア１２の板面１２ｂと同一の平面上に表面を形成するように面一状に延びて第１当接部２３と立ち上がり方向に離間配置されるとともに、第１当接部２３と対向する領域およびそれに隣接する領域に形成され、例えばこの立ち上がり方向の他方に隣接する部材（同じく、層間部材である層間紙２９）に当接する第２当接部２４とを備える。なお、第２当接部２４は、具体的には延長部２１の側縁部２１ａの一部に立ち上がり部２２および第１当接部２３と上方から見て隣り合うように（すなわち、隣接する領域に）形成されている。
【００２３】
端子保護部２０は、このように構成されることにより、図２に示すように、第１当接部２３に対して図中白抜き矢印で示す方向に圧力が加えられた場合であっても、第２当接部２４がこの圧力を受けて踏ん張る構造を備える。このため、例えばこの圧力が大きくなっても、連鎖端子１０の寸法が極小であっても、図中二点短鎖線で示すように延長部２１が捻れて持ち上がり、立ち上がり部２２や第１当接部２３が図示のように倒れることはなく、端子金具１１の変形を効果的に防止することができる。
【００２４】
なお、このように構成された連鎖端子１０は、具体的には、図３および図４に示すように、図示しないリール等に層間紙２９をそれぞれ介して立ち上がり部２２の立ち上がり方向に重畳された状態で巻き付けられ、端子金具１１を基板等に接続する作業現場などに輸送されたり運搬されたりする。
【００２５】
このとき、本実施形態に係る連鎖端子１０は、上述したように、第１当接部２３および第２当接部２４が、それぞれ立ち上がり方向の一方および他方に隣接する層間紙２９と面で当接し、上記立ち上がり方向に加わる圧力を受ける。このため、端子金具１１には直接圧力が加わることはなく、端子金具１１の変形を確実に防止することができる。なお、第１当接部２３は、立ち上がり部２２の上端から板面１２ｂに沿って延長部２１の上方側に延びるように形成されてもよい。この場合は、第２当接部２４の代わりに延長部２１が圧力を受ける。
【００２６】
図５は、本発明の他の実施形態に係る連鎖端子の全体構成の例を示す平面図、図６は図５のＢ−Ｂ’断面図である。なお、以降において、既に説明した部分と重複する箇所には同一の符号を付して説明を割愛する。図５および図６に示すように、本例の連鎖端子３０は、端子保護部２０の構成が先の例の連鎖端子１０とは相違している。
【００２７】
すなわち、連鎖端子３０は、複数の端子金具１１の先端部がキャリア３２に連結されるとともに基端部がキャリア１２に連結されて並設されたものであり、端子保護部２０は、キャリア１２の側縁部１２ａからキャリア１２の板面１２ｂと交差する方向にその上端が層間紙２９に当接可能なように立ち上がる立ち上がり部２２を有する。
【００２８】
また、端子保護部２０は、立ち上がり部２２の上端から板面１２ｂに沿った方向（ここでは、端子金具１１の長手方向）に延びるとともに、例えば連鎖端子３０が図３および図４に示すように重畳された場合に立ち上がり方向の一方に隣接する層間紙２９に面で当接する第１当接部２３と、キャリア１２の板面１２ｂと同一の平面上に表面を形成するように面一状にキャリア１２の側縁部１２ａから延びて第１当接部２３と離間配置されるとともに、第１当接部２３と対向する領域およびそれに隣接する領域に形成され、例えばこの立ち上がり方向の他方に隣接する層間紙２９に当接する第２当接部２４とを有する。
【００２９】
なお、ここでは、第２当接部２４は、具体的にはキャリア１２の側縁部１２ａに立ち上がり部２２および第１当接部２３と上方から見て隣り合うように形成されている。このように構成された端子保護部２０は、上記実施形態における端子保護部２０から延長部２１を廃したような構造を有する。
【００３０】
そして、この連鎖端子３０においても、例えば第１当接部２３に対して立ち上がり方向から圧力が加えられたとしても、第２当接部２４がこの圧力を受けて踏ん張るため、圧力が大きくても連鎖端子３０の寸法が極小でも、キャリア１２が捻れて立ち上がり部２２や第１当接部２３が上述したように倒れることはなく、端子金具１１の変形を効果的に防止することができる。
【００３１】
同様に、連鎖端子３０がリールに巻き付けられた場合には、第１当接部２３および第２当接部２４が、それぞれ立ち上がり方向の一方および他方に隣接する層間紙２９（図示せず）と当接し、上記立ち上がり方向に加わる圧力を受ける。このため、端子金具１１には直接圧力が加わることはなく、端子金具１１の変形を確実に防止することができる。なお、端子保護部２０は、例えば次のような構造であってもよい。
【００３２】
図７および図８は、本発明に係る連鎖端子の端子保護部の他の例を一部を断面で示す側面図である。すなわち、図７に示すように、端子保護部２０の第２当接部２４は、例えば第１当接部２３の先端から下方に屈曲された立ち下がり部２５の下端に形成され、延長部２１またはキャリア１２から離れる方向（すなわち、延長部２１またはキャリア１２と反対側）に面一状に延びるものや、図８に示すように、立ち下がり部２５の下端に形成され、延長部２１またはキャリア１２に近づく方向（すなわち、延長部２１またはキャリア１２側）に面一状に延びるものであってもよい。
【００３３】
このように構成しても、第１当接部２３に対して立ち上がり方向から圧力が加えられても第２当接部２４が圧力を受けて踏ん張り、延長部２１やキャリア１２が捻れて立ち上がり部２２や第１当接部２３が倒れることはなく、端子金具１１の変形を効果的に防止することができる。
【００３４】
また、リールに巻き付けられたとしても、第１当接部２３および第２当接部２４が、それぞれ層間紙２９（図示せず）と面で当接して圧力を受けるので、端子金具１１には直接圧力が加わることはなく、端子金具１１の変形を確実に防止することができる。さらに、端子保護部２０の立ち上がり部２２は、延長部２１またはキャリア１２の端子金具１１が存する側の側縁部２１ａ，１２ａから立ち上がるため、確実に端子金具１１の変形を防止することができる。
【図面の簡単な説明】
【００３５】
【図１】本発明の一実施形態に係る連鎖端子の全体構成の例を示す斜視図である。
【図２】図１のＡ−Ａ’断面図である。
【図３】同連鎖端子の重畳状態を示す図１のａ矢視図である。
【図４】図３の一部を拡大して示す説明図である。
【図５】本発明の他の実施形態に係る連鎖端子の全体構成の例を示す平面図である。
【図６】図５のＢ−Ｂ’断面図である。
【図７】本発明に係る連鎖端子の端子保護部の他の例を一部を断面で示す側面図である。
【図８】本発明に係る連鎖端子の端子保護部の他の例を一部を断面で示す側面図である。
【図９】従来の連鎖端子を示す説明図である。
【符号の説明】
【００３６】
１０    連鎖端子
１１    端子金具
１２    キャリア
１２ａ  側縁部
１２ｂ  板面
２０    端子保護部
２１    延長部
２１ａ  側縁部
２２    立ち上がり部
２３    第１当接部
２４    第２当接部
２５    立ち下がり部
２９    層間紙
３０    連鎖端子
３２    キャリア
【図１】
2010118183.tif 000003
【図２】
2010118183.tif 000004
【図３】
2010118183.tif 000005
【図４】
2010118183.tif 000006
【図５】
2010118183.tif 000007
【図６】
2010118183.tif 000008
【図７】
2010118183.tif 000009
【図８】
2010118183.tif 000010
【図９】
2010118183.tif 000011